(57)【要約】【課題】支柱を樹木で代替しても樹木が傷まず、低コストで簡単に支柱に取り付け可能なワイヤーの架線用碍子を提供する。【解決手段】ワイヤー３を支柱４に架線する架線用碍子１の筐体２には、表側にワイヤー挿通路１１とその両側に位置する隆起部１３、及びワイヤー挿通路１１を両側から跨ぐ２本のアーム１２があり、裏側には、左右の壁２１Ｌ、２１Ｒと上下の壁２２Ｕ、２２Ｂに囲まれた凹部２３及び凹部２３内を複数区画２４に仕切る隔壁２５があり、上下の壁及び隔壁には表側に窪む第１湾曲凹部２６と、第１湾曲凹部の中央部に設けられた第２湾曲凹部２７があり、左右の壁または隔壁の補強壁２８にある取付孔１４に取付具６を通して支柱４に固定するワイヤーの架線用碍子１である。凹部内の複数区画と第１と第２湾曲凹部により、この架線用碍子は径の大小にかかわらず樹木に取り付けが可能である。【選択図】図２
2020174608.tif 000002
【特許請求の範囲】
【請求項１】
表側にワイヤーの保持構造を有し、裏側に支柱への取付構造を有する筐体を備えるワイヤーの架線用碍子であって、
前記保持構造は、前記ワイヤーが配置されるワイヤー挿通路、前記ワイヤー挿通路の両側で前記ワイヤー挿通路の底面に対して垂直に隆起し、対向壁が湾曲面であり、前記ワイヤー挿通路の前記左壁と右壁からの中間点における前記対向壁の間の距離が最も小さい２つの隆起部及び前記ワイヤー挿通路の上方で前記２つの隆起部の間に設けられ、前記ワイヤー挿通路に配置した前記ワイヤーが前記ワイヤー挿通路から外れないようにする外れ防止機構を備え、
前記取付構造は、前記ワイヤーの延伸方向に形成された左壁と右壁、前記ワイヤーの延伸方向に対して平行な上壁と下壁、前記左壁と右壁及び前記上壁と下壁に囲まれた凹部を備え、前記上壁と下壁には、同一位置に設けられた同一形状の第１湾曲凹部、前記第１湾曲凹部の中央部に設けられた別の同一形状の第２湾曲凹部、前記左壁と右壁に設けられて前記筐体を前記支柱に取り付けて固定する取付具が挿通される少なくとも２つの第１の取付孔が設けられたワイヤーの架線用碍子。
【請求項２】
前記外れ防止機構は、前記隆起部の一方の上面から延伸されて前記ワイヤー挿通路を跨ぎ、先端部が他方の前記隆起部の上面の上方に達する第１のアーム、及び前記隆起部の前記他方の上面から延伸されて前記第１のアームとは前記ワイヤーの径以上の隙間を隔てて前記ワイヤー挿通路を跨ぎ、先端部が前記一方の隆起部の上面の上方に達する前記第１のアームに平行な第２のアームを備えている請求項１に記載のワイヤーの架線用碍子。
【請求項３】
前記対向壁の湾曲面の形状は、平面視すると放物線であり、前記中間点が前記放物線の変曲点である請求項２に記載のワイヤーの架線用碍子。
【請求項４】
前記第１と第２のアームの先端部と前記隆起部の上面との間には、前記ワイヤーの径以上の隙間が設けられている請求項２または３に記載のワイヤーの架線用碍子。
【請求項５】
前記第１と第２のアームの基部の両側には、前記隆起部を窪ませた円周溝が形成されており、
前記第１と第２のアームの基部には、両側にある前記円周溝を面一状態で連通すると共に、前記第１と第２のアームの基部を貫通する貫通孔が形成されており、
前記貫通孔には、前記取付具による前記筐体の固定位置とは別の位置に固定する第２取付具が挿通される請求項２から４の何れか１項に記載のワイヤーの架線用碍子。
【請求項６】
前記取付構造は、更に、
前記左壁と右壁に平行に前記凹部内に設けられ、前記凹部内を複数区画に仕切る複数枚の隔壁、
隣接する前記隔壁の間にある補強壁に設けられて前記取付具が挿通される少なくとも２つの第２の取付孔を備える請求項１から５の何れか１項に記載のワイヤーの架線用碍子。
【請求項７】
前記第１湾曲凹部の両端部には、前記支柱の径が所定値以上の場合に前記支柱に当接する第１当接部が設けられ、
前記第２湾曲凹部の両端部には、前記支柱の径が所定値未満の場合に前記支柱に当接する第２当接部が設けられている請求項６に記載のワイヤーの架線用碍子。
【請求項８】
前記第１の取付孔の前記ワイヤー挿通路側には、前記第１の取付孔に挿通される前記ワイヤーと前記取付具との接触を防止するカバーが設けられている請求項１から７の何れか１項に記載のワイヤーの架線用碍子。
【発明の詳細な説明】
【技術分野】
【０００１】
本出願は、牧柵用ワイヤー、特に、電気牧柵用ワイヤーを、樹木などの支柱を利用して傾斜地などに張り巡らす際に、支柱にワイヤーを保持させるためのワイヤーの架線用碍子に関する。
【背景技術】
【０００２】
従来、牧草地等の土地に動物を放牧する場合、動物を囲い込むためのフェンス、例えば、物理柵であるネットフェンスや、ワイヤーに印加した高電圧で動物に電撃を与える心理柵である電気ワイヤーフェンス（電気柵と呼ばれる）が必要である。このうち、電気ワイヤーフェンスは、囲い込む土地の周囲に所定の間隔を開けて立設した支柱（ポスト）に架線用碍子を取り付け、架線用碍子に張り巡らせた通電用のワイヤーに高電圧を印加することによって構成される。
【０００３】
ところで、フェンス施設、特に電気ワイヤーフェンス施設の設置にかかる全てのコストの内、最もコストが高いのは支柱の設置コストである。電気ワイヤーフェンス施設の場合、支柱を平坦な土地に設置する場合の資材費と人件費を含めたコストは一般に、フェンス設置コスト全体の約７割を占める。しかし、起伏の多い林間地や森林内に電気ワイヤーフェンスを施設する場合は、起伏のためにフェンスの設置が困難であり、人件費が増えるために、支柱の設置コストがフェンス設置コストの７割を超えてしまい、フェンス設置コストが上昇する。このように、林間地や森林内への電気ワイヤーフェンス設置は、支柱の設置コストが設置の大きな制約要因になっている。
【０００４】
すなわち、平坦地であればフェンスが比較的簡単に設置出来るので、人件費もかからないが、起伏がある傾斜地が多い林間地や森林内にフェンスを施設する場合は、より多くの部材が必要になり、施工も困難で人件費が増大する。また、林間地や森林内にフェンスを設置する場合のコストアップのもう一つの原因は、土地生産性が低いことである。平坦な牧草地は牧養力が高いため、動物を囲い込むための必要面積は比較的狭くても足りるが、林間地や森林は同じ牧養力を得るためにより広い面積が必要になり、囲むフェンスの全長も長くなる。このように、林間地や森林は平坦地よりも長いフェンスが必要になってより多くのコストがかかるため、林間放牧や森林放牧はこれまで敬遠されて来た。
【０００５】
一方、林間地や森林内にフェンスを設置する場合のコストを下げるために、支柱を林間地や森林内にある樹木で代替し、フェンスの施設コストの大幅削減を図ることが従来から行われてきた。例えば、特許文献１には樹木の幹部に釘部材でワイヤーの架線用碍子（特許文献１では支持具と記載）を取り付けてワイヤーを張設する樹木を利用した電気柵装置が開示されている。
【先行技術文献】
【特許文献】
【０００６】
【特許文献１】特許第６２６５６１０号公報
【発明の概要】
【発明が解決しようとする課題】
【０００７】
ところが、特許文献１では、ワイヤーの支持具を樹木の幹に取り付ける際に、支持具を釘部材で幹に打ち付けることによって固定しているので、釘部材によって樹木が傷むという課題があった。また、金属製の支柱等と異なり、樹木には地面に対して垂直でないものがある上に、支柱の設置場所に生える樹木の直径が一定ではないので、支持具を取り付けることが可能な樹木が限られるという課題がある。更に、木にこぶがある場合には、樹木の表面に凹凸があり、枝があれば取り付けることができないので、樹木には指示具の取付場所に制約があるという課題もあった。
【０００８】
一方、樹木を傷めることなく、しかも樹木への取付場所の制約が少ないワイヤーの架線用碍子があれば、支柱を林間地や森林内にある樹木で代替することができ、林間地や森林内へのワイヤーフェンスの設置のコストを下げることができる。更に、林間地や森林内へのフェンス設置のコストが下がれば、林間地や森林内へのフェンス設置数が増え、現在人が行っている下草管理などの重労働を動物で行えることになる。
【０００９】
本発明は、林間地や森林内へのフェンス設置、特に電気ワイヤーフェンスの設置に際して、樹木を傷めることなく、しかも樹木への取付場所の制約が少なく、更に簡単にワイヤ樹木に取り付けることが可能であり、支柱を林間地や森林内にある樹木で代替することにより、ワイヤーフェンスの設置コストを低減することが可能なワイヤーの架線用碍子を提供することを目的とする。
【課題を解決するための手段】
【００１０】
１つの形態によれば、表側にワイヤーの保持構造を有し、裏側に支柱への取付構造を有する筐体を備えるワイヤーの架線用碍子であって、保持構造は、ワイヤーが配置されるワイヤー挿通路、ワイヤー挿通路の両側でワイヤー挿通路の底面に対して垂直に隆起し、対向壁が湾曲面であり、ワイヤー挿通路の左壁と右壁からの中間点における対向壁の間の距離が最も小さい２つの隆起部及びワイヤー挿通路の上方で２つの隆起部の間に設けられ、ワイヤー挿通路に配置したワイヤーがワイヤー挿通路から外れないようにする外れ防止機構を備え、取付構造は、ワイヤーの延伸方向に形成された左壁と右壁、ワイヤーの延伸方向に対して平行な上壁と下壁、左壁と右壁及び上壁と下壁に囲まれた凹部を備え、上壁と下壁には、同一位置に設けられた同一形状の第１湾曲凹部、第１湾曲凹部の中央部に設けられた別の同一形状の第２湾曲凹部、左壁と右壁に設けられて筐体を支柱に取り付けて固定する取付具が挿通される少なくとも２つの第１の取付孔が設けられたワイヤーの架線用碍子が提供される。
【発明の効果】
【００１１】
開示するワイヤーの架線用碍子によれば、林間地や森林内へのワイヤーフェンスの設置に際して、支柱を林間地や森林内にある樹木で代替する場合に、樹木を傷めることなく、しかも簡単に樹木に取り付けることができるので、ワイヤーフェンスの設置コストを下げることができるという効果がある。
【図面の簡単な説明】
【００１２】
【図１】開示するワイヤーの架線用碍子の第１の実施例の構造を示すものであり、（ａ）は平面図、（ｂ）は正面図、（ｃ）は左側面図、（ｄ）は（ａ）のＢ-Ｂ線における断面図である。
【図２】（ａ）は図１に示した架線用碍子を、ワイヤーの保持側に対して右斜め上方から見た斜視図、（ｂ）は（ａ）に示した架線用碍子を支柱への取付側から見た斜視図である。
【図３】（ａ）は図２（ａ）に示した架線用碍子に、ワイヤーと取付具を取り付ける様子を示す斜視図、（ｂ）は図２（ｂ）に示した架線用碍子における、第２取付具の取り付け位置を説明する斜視図である。
【図４】（ａ）は開示する架線用碍子を太い木に取り付ける場合の、結束バンドを用いた取付方法を説明する説明図、（ａ）は開示する架線用碍子を細い木に取り付ける場合の、結束バンドを用いた取付方法を説明する説明図である。
【図５】開示する架線用碍子を傾斜地にある木に取り付けて敷設されたワイヤーフェンスを側面からみた図である。
【図６】（ａ）は図２（ａ）に示した架線用碍子の貫通孔に、それぞれ第２取付具である取付補助紐を取り付けた状態を示す斜視図、（ｂ）は架線用碍子を樹木に取付具を用いて取り付けて固定した後に、第２取付具を用いて樹木の他の場所にも固定した例を説明する斜視図である。
【図７】開示する架線用碍子の一実施例において、アーム部分の図示を省略して架線用碍子が保持するワイヤーの状態を示すものであり、（ａ）はワイヤーをＵ字状に保持する状態を示す図、（ｂ）はワイヤーを斜めに保持する状態を示す図、（ｃ）は水平に保持したワイヤーが上下方向に揺さぶられても保持する状態を示す図である。
【図８】開示するワイヤーの架線用碍子の第２の実施例の構造を示すものであり、（ａ）は平面図、（ｂ）は正面図、（ｃ）は左側面図である。
【図９】開示するワイヤーの架線用碍子の第３の実施例の構造を示すものであり、架線用碍子を支柱への取付側から見た斜視図である。
【発明を実施するための形態】
【００１３】
以下、添付図面を用いて本出願の実施の形態を、具体的な実施例に基づいて詳細に説明する。なお、以下に説明する実施の形態においては、同一または類似の要素には共通の参照符号を付し、理解を容易にするために、図面の縮尺を適宜変更している。
【００１４】
図１は、開示するワイヤーフェンス用、特に電気ワイヤーの架線用碍子１の第１の実施例の構造を示しており、（ａ）は平面図、（ｂ）は正面図、（ｃ）は左側面図、（ｄ）は（ａ）のＢ-Ｂ線における断面図である。また、図２（ａ）は、図１に示した架線用碍子１をワイヤーの保持側に対して右斜め上方から見たものであり、（ｂ）は（ａ）に示した架線用碍子１を、支柱への取付側から見た斜視図である。ここでは図１に図２を併用して架線用碍子１の構造を説明する。
【００１５】
開示する架線用碍子１の筐体２は、絶縁性樹脂を使用して、成形により一体的に形成されており、電気ワイヤーの架線用碍子１として使用しても、ワイヤーに印加される電圧が支柱を通じて地面に流れないようになっている。筐体２は絶縁材料であれば樹脂でなくても良く、例えば磁器で形成することができる。筐体２は、表側にワイヤーを保持する保持構造１０を備え、裏側に筐体２を支柱、特に樹木、に取り付けるための取付構造２０を備える。そこでまず、表側の保持構造１０について説明し、次いで取付構造２０について説明する。
【００１６】
筐体２には、架線用碍子１が保持するワイヤーの延伸方向に形成された湾曲する左壁２１Ｌと湾曲する右壁２１Ｒ、及びワイヤーの延伸方向に対して平行な上壁２２Ｕと下壁２２Ｂがある。なお、左壁２１Ｌと右壁２１Ｒ、及び上壁２２Ｕと下壁２２Ｂは、説明の都合上の名称であり、上下左右の壁の内、どちらの壁が上壁、或いは左壁であっても良い。これは、開示する筐体２の形状は、上下を逆にしても同じ形状だからである。従って、開示する筐体２は、上壁２２Ｕと下壁２２Ｂのどちらを上側にしても支柱に同様に取り付けることができる。
【００１７】
左壁２１Ｌと右壁２１Ｒとの間の筐体２の表面は滑らかな曲面となっており、この表面に、上に突の方向に湾曲する空間であるワイヤー挿通路１１と、ワイヤー挿通路１１の両側において筐体２の表面から垂直に隆起する隆起部１３がある。隆起部１３の、ワイヤー挿通路１１を挟む対向壁１３Ｗは湾曲面となっている。対向壁１３Ｗの間の距離は、ワイヤー挿通路１１の左右からの中間点の位置で最も短くなっている。対向壁１３Ｗは平面視すると放物線状の曲面とすることができ、この場合、ワイヤー挿通路１１の左右からの中間点の位置が放物線の変曲点となる。
【００１８】
更に、ワイヤー挿通路１１の両側にある隆起部１３の上面には、ワイヤー挿通路１１に配置されたワイヤー３がワイヤー挿通路１１から外れないようにする、ワイヤー３の外れ防止機構１２が設けられている。本実施例では、外れ防止機構１２として、ワイヤー挿通路１１をそれぞれ跨ぐように隆起部１３の上面から延伸された湾曲する第１と第２の２本のアーム１２Ａが設けられている（第１と第２の２本のアーム１２Ａはどちらが第１か第２かの区別を要しない）。２本のアーム１２Ａは平行であり、２本のアーム１２Ａの間には、ワイヤーの径以上の隙間Ｓが設けられている。２本のアーム１２Ａの先端部は、それぞれ反対側の隆起部１３の上面まで達しているが、２本のアーム１２Ａの先端部と隆起部１３の上面との間にはワイヤーの径以上の隙間Ｍ（図１（ｂ）、（ｃ）参照）が設けられている。
【００１９】
また、２本のアーム１２Ａの基部の両側の隆起部１３の上面には、ワイヤーの延伸方向に平行な円周溝１６が形成されており、２本のアーム１２Ａの基部には、両側にある円周溝１６を面一状態で連通すると共に、２本のアーム１２Ａの基部を貫通する貫通孔１５が形成されている。そして、２本のアーム１２Ａの基部の両側に設けられた円周溝１６のうち、隆起部１３の対向壁１３Ｗに近い方の端部は対向壁１３Ｗまで達して対向壁１３Ｗを切り欠いているが、隆起部１３の対向壁１３Ｗから遠い方の端部は、対向壁１３Ｗまで達せずに球面で終端している。貫通孔１５及び円周溝１６は、架線用碍子１に後述する第２取付具を取り付けるためのものである。
【００２０】
左壁２１Ｌと右壁２１Ｒには、図１（ｂ）、（ｄ）に示されるように、架線用碍子１を支柱に取り付けるための取付具である結束バンドを挿通するための第１取付孔１４Ａが複数個（本実施例では左壁２１Ｌと右壁２１Ｒにそれぞれ３つずつ）設けられている。そして、第１取付孔１４Ａの上方には、ワイヤー挿通路１１を通るワイヤーと第１取付孔１４Ａに挿入される結束バンドとの接触を防止するためのカバー１７が設けられている。
【００２１】
次に、架線用碍子１を支柱に取り付けるための筐体２の裏側の取付構造２０について説明する。取付構造２０には、図２（ｂ）に示されるように、ワイヤーの延伸方向に形成された左壁２１Ｌと右壁２１Ｒ、ワイヤーの延伸方向に対して平行な上壁２２Ｕと下壁２２Ｂがある。左壁２１Ｌ、右壁２１Ｒ及び上壁２２Ｕと下壁２２Ｂに囲まれた部分は凹部２３になっている。凹部２３内は、本実施例では左壁２１Ｌと右壁２１Ｒに平行な複数の隔壁２５（本実施例では隔壁数は４つ）によって複数区画２４に仕切られている。
【００２２】
凹部２３内を複数区画２４に仕切るのは、筐体２の補強と、筐体２が樹木に接する場合に複数の点で樹木に接触させることにより、架線用碍子１を樹木に取り付けた時に、架線用碍子１が樹木に対して傷を付けないようにするためである。筐体２の補強が必要ない場合は、隔壁２５は設けなくても良い。また、筐体２の裏面の凹部２３が隔壁２５により複数区画２４に分かれていると、樹木の幹の凹凸が複数区画２４に入り込むことにより、筐体２に大きな力が加わった場合に、筐体２が滑り移動する危険性を低減できる。
【００２３】
上壁２２Ｕと下壁２２Ｂ及び複数枚の隔壁２５には、これらをワイヤーの延伸方向に対して垂直な方向から見通した時に、左壁２１Ｌと右壁２１Ｒとの間に形成されて筐体２の表側に窪む同一形状の第１湾曲凹部２６が、同一位置に設けられている。更に、第１湾曲凹部２６の中央部には、筐体２の表側に窪む同一形状の第２湾曲凹部２７が、同一位置に設けられている。
【００２４】
また、図２（ａ）に示した隆起部１３の裏側には、図２（ｂ）に示すような空洞部１８が形成されている。空洞部１８には隆起部１３の補強のためのリブ１９がある。上壁２２Ｕと下壁２２Ｂ及び複数枚の隔壁２５に形成された第１湾曲凹部２６の両端部分に、樹木の直径が所定値以上の時に樹木に当接する第１当接部２６Ｔが設けられている。そして、上壁２２Ｕと下壁２２Ｂ及び複数枚の隔壁２５に形成された第２湾曲凹部２７の両端部分に、樹木の直径が所定値未満の時に樹木に当接する第２当接部２７Ｔが設けられている。第１当接部２６Ｔと第２当接部２７Ｔは湾曲面になっている。
【００２５】
また、凹部２３内に設けられた４枚の隔壁２５のうち、隣接する外側の隔壁２５と内側の隔壁２５の間には、前述の第１湾曲凹部２６の両側部分に、筐体２の表側に向かう補強壁２８が設けられている。そして、この補強壁２８には、第２取付具を挿通するための第２取付孔１４Ｂがそれぞれ設けられている。
【００２６】
ここで、以上のような構造を備える架線用碍子１へのワイヤー３の配設、及び取付具６と第２取付具９の架線用碍子１への取り付けについて図３を用いて説明する。まず、図３（ａ）には、図２（ａ）に示した架線用碍子１にワイヤー３と取付具６を取り付ける様子が示されている。取付具６には結束バンド６（以後、結束バンドにも取付具６と同じ符号６を付す）を使用することができる。また、ワイヤー３の直径は隙間Ｓ及び隙間Ｍの距離より小さい。
【００２７】
ワイヤー３をワイヤー挿通路１１に保持させる場合は、ワイヤー３を撓ませて両側に折り返し部３Ｔを形成し、２つの折り返し部３Ｔの間の部分を隙間Ｓに挿入すると共に、折り返し部３Ｔを２つのアーム１２Ａの先端部の先を通過させた状態で、ワイヤー３をワイヤー挿通路１１側に移動させる。ワイヤー３の２つの折り返し部３Ｔの間の部分が隙間Ｓを通過すると共に、２つの折り返し部３Ｔがアーム１２Ａの先端部の先をそれぞれ通過したら、ワイヤー３を白抜き矢印で示す方向に引っ張る。すると、ワイヤー３の２つの折り返し部３Ｔがアーム１２Ａの先端部と隆起部１３との間の隙間Ｍを通過して、ワイヤー３がワイヤー挿通路１１に挿入されて保持される。
【００２８】
一方、結束バンド６は２本使用し、幹が太い樹木の場合には、２本の結束バンド６は、左壁２１Ｌ及び右壁２１Ｒに設けられたカバー１７の内側にある第１取付孔１４Ａの一方から挿入し、架線用碍子１の内部を通過させて対向位置にある第１取付孔１４Ａから外に引き出すことによって、架線用碍子１に装着する。また、幹が細い樹木の場合には、図３（ｂ）に示すように、２本の結束バンド６を、２つの隔壁２５の間の部分にある補強壁２８に設けられた第２取付孔１４Ｂをそれぞれ挿通させた後に、反対側にあるもう１つの第２取付孔１４Ｂを挿通させることによって、架線用碍子１に装着する。
【００２９】
ここで、図４により、架線用碍子１を支柱（樹木の幹４）に固定する通常の方法について説明する。図４（ａ）は、架線用碍子１を太い支柱４、ここでは森林に生える幹４が太い樹木に取り付ける状態を説明するものであり、幹４の断面を上から見た状態が示されている。太い幹４に架線用碍子１を固定する場合は、架線用碍子１の左壁２１Ｌと右壁２１Ｒにある第１取付孔１４Ａに結束バンド６を挿通し、結束バンド６の両端を幹４の裏側でバックル６Ｂによって固定する。バックル６Ｂは結束バンド６の両端を幹４の裏側で固定する１つの手段であり、結束バンド６の固定方法は特に限定されるものではない。
【００３０】
このように、架線用碍子１を幹４の太い樹木に取り付ける場合、幹４の表面に凹凸があっても、その凹凸は凹部２３及び上壁２２Ｕや図示されない複数の隔壁２５及び下壁２２Ｂに設けられた第１湾曲凹部２６に入り込ませることができる。そして、この状態で幹４の表面に第１湾曲凹部２６の両端部にある第１当接部２６Ｔを当接させれば、幹４の表面の凹凸を凹部２３や第１湾曲凹部２６が受け入れることにより、架線用碍子１を太い幹４に取り付けることが可能である。また、ワイヤー挿通路１１に保持されたワイヤー３は、架線用碍子１に設けられてワイヤー挿通路１１の上部に両側から覆いかぶさる２本のアーム１２Ａにより、架線用碍子１から外れることはない。
【００３１】
図４（ｂ）は、架線用碍子１を細い支柱４、ここでは森林に生える幹４が細い樹木に取り付ける状態を説明するものであり、幹４の断面を上から見た状態が示されている。細い幹４に架線用碍子１を固定する場合は、架線用碍子１の隔壁２５にある第２取付孔１４Ｂ（図３（ｂ）参照）に結束バンド６を挿通し、結束バンド６の両端を幹４の裏側で、結束バンド６の両端に設けられた面ファスナ６Ｆによって固定する。面ファスナ６Ｆも結束バンド６の両端を幹４の裏側で固定する１つの手段である。
【００３２】
このように、架線用碍子１を細い樹木の幹４に取り付ける場合、幹４の表面に凹凸があっても、その凹凸は凹部２３や上壁２２Ｕ、図示されない複数の隔壁２５及び下壁２２Ｂに設けられた第２湾曲凹部２７に入り込ませることができる。そして、この状態で幹４の表面に第２湾曲凹部２７の両端部にある第２当接部２７Ｔを当接させれば、幹４の表面の凹凸が筐体２の裏面にある取付構造２０に受け入れられて架線用碍子１を細い幹４に取り付けることが可能である。また、取付具６として結束バンド６を使用すれば、幹４の表面の凹凸が架線用碍子１の凹部２３や第２湾曲凹部２７に入り込んでも、結束バンド６は架線用碍子１内で幹４の表面に沿って変形できる。
【００３３】
以上のような構造を備えるワイヤーの架線用碍子１は、図５に示すように、傾斜地８に生える樹木７の幹４に、取付具（結束バンド）によって簡単に取り付けることができる。このため、ワイヤー３を簡単に傾斜地８に生える樹木７の幹４に保持させることができるので、傾斜地８にワイヤー３に高電圧発生源を接続した電気ワイヤーフェンス５を容易に設置できる。
【００３４】
一方、架線用碍子１を森林に生える樹木に取り付ける場合、架線用碍子１を取り付ける幹が垂直でない場合があり、このような場合、架線用碍子１が幹から外れて落下する場合がある。また、樹木の種類により、幹の架線用碍子１の取付面が滑らかで架線用碍子１が滑って外れ易い場合がある。このような場合、開示する架線用碍子１では、図３に示した取付具６に加えて、補助的な第２取付具を架線用碍子１に取り付け、樹木の幹や太い枝への取り付けを強化することができる。これを図６を用いて説明する。
【００３５】
図６（ａ）は、図２（ａ）に示した架線用碍子１の２本のアーム１２Ａの基部にそれぞれ設けられている貫通孔１５に、円周溝１６に沿わせて第２取付具９である取付補助紐９（以後、取付補助紐にも第２取付具９と同じ符号９を付す）を、取り付けて固定した状態を示している。本実施例では、取付補助紐９の端部を、貫通孔１５に挿通した後に「ふた結び」して架線用碍子１に固定している。取付補助紐９の端部の貫通孔１５を挿通させた後の固定方法は「ふた結び」に限定されるものではなく、任意の結び方で固定すれば良い。取付補助紐９の他方の端部はフリーであるので、樹木の別の場所、或いは樹木以外の場所に固定することができる。
【００３６】
図６（ｂ）は、樹木７の幹４や太い枝４Ｂに取付具６を用いて架線用碍子１を取り付けて固定した後に、取付補助紐９を用いて筐体２の固定位置とは異なる幹４や枝４Ｂの別の場所に固定した例を説明するものである。手前側の樹木７の幹４には、垂直部分に架線用碍子１が結束バンド６で取り付けられており、奥側の樹木７には、斜めの太い枝４Ｂに架線用碍子１が結束バンド６で取り付けられている。架線用碍子１に一方の端部が固定された２本の取付補助紐９は、他方の端部が架線用碍子１の上下部分の樹木７の幹４や枝４Ｂに巻き付けられて固定されている。このように、結束バンド６と取付補助紐９の両方で架線用碍子１を樹木７の幹４や枝４Ｂに固定すれば、架線用碍子１が幹４や枝４Ｂから外れる虞が低くなる。
【００３７】
ここで、架線用碍子１の表側に設けられた隆起部１３の形状と、この形状による効果について図７を用いて説明する。なお、図７には、隆起部１３の形状を明確に示すために、アーム１２Ａの先端部の図示を省略した平面図が示されている。ワイヤー挿通路１１の両側でワイヤー挿通路１１の底面から垂直に隆起する隆起部１３の対向壁１３Ｗは、ワイヤー挿通路１１の左右からの中間点に接する部分で折り返される湾曲面である。この湾曲面は、平面視すると放物線形状の湾曲面とすることができ、この場合は折り返される部分が放物線の変曲点となる。
【００３８】
このため、ワイヤー挿通路１１に配されるワイヤー３は、対向壁１３Ｗの湾曲面に対して色々な角度でワイヤー挿通路１１に配置することができる。これは、架線用碍子１を取り付ける樹木の幹は、必ずしも鉛直方向に立ち上がっているとは限らず、様々の方向を向いているからであり、場合によっては樹木の枝に架線用碍子１を取り付けた方が良い場合があるからである。また、開示する架線用碍子１は、様々な形状の樹木の幹や枝に取り付けることができると共に、樹木以外の支柱に取り付けることができる。
【００３９】
図７（ａ）は、ワイヤー３が架線用碍子１のワイヤー挿通路１１にＵ字状に保持された状態を示すものであり、ワイヤー３は一方の対向壁１３Ｗの湾曲面の折れ曲がり部分に接している。図７（ｂ）は、ワイヤー３が架線用碍子１のワイヤー挿通路１１に斜めに保持された状態を示すものであり、ワイヤー３は上下にある対向壁１３Ｗの湾曲面の両方に接している。更に、図７（ｃ）は、ワイヤー３が架線用碍子１のワイヤー挿通路１１に対向壁１３Ｗに接することなく水平に保持された状態にあるときに、ワイヤー３が上下方向に揺さぶられた状態を示すものである。
【００４０】
ワイヤーフェンスでは、ワイヤー３に動物が引っかかった場合の衝撃で、ワイヤー３が上下方向に揺さぶられる場合がある。一方、開示する架線用碍子１のワイヤー挿通路１１は、対向壁１３Ｗの湾曲面の折れ曲がり部分の両側で末広がりに広くなっている。このため、ワイヤー３に動物が引っかかった場合の衝撃でワイヤー３が上下方向に揺さぶられても、ワイヤー３がワイヤー挿通路１１の内部で移動することにより、架線用碍子１に加わるワイヤー３からの応力を低減でき、架線用碍子１が樹木から外れ難くできる。
【００４１】
図８は、開示するワイヤーフェンス用、特に電気ワイヤーの架線用碍子１の第２の実施例の構造を示しており、（ａ）は平面図、（ｂ）は正面図、（ｃ）は左側面図である。架線用碍子１の筐体２が絶縁性樹脂を使用して、成形により一体的に形成されている点は前述の第１の実施例と同じである。第２の実施例が第１の実施例と相違する点は、ワイヤー３の外れ防止機構１２の構造のみである。よって、外れ防止機構１２以外の部分については第１の実施例と同じ符号を付してその説明を省略する。
【００４２】
第１の実施例では、ワイヤー挿通路１１をそれぞれ跨ぐように隆起部１３の上面から延伸された湾曲する第１と第２の２本のアーム１２Ａが設けられていた。第２の実施例では２本のアーム１２Ａの代わりに、隆起部１３の対向壁１３Ｗ側に、２つのボルト取付壁１２Ｗが対向して設けられている。２つのボルト取付壁１２Ｗの、対向壁１３Ｗ側の面は対向壁１３Ｗ側と同一の湾曲面となっており、この湾曲面の反対側がワイヤー挿通路１１に平行な平面となっている。
【００４３】
２つのボルト取付壁１２Ｗにはそれぞれ、対向する位置にボルト挿通孔が設けられており、このボルト挿通孔にボルト１２Ｂが挿通され、ナット１２Ｎで固定される。ボルト１２Ｂは半ねじのボルトであり、ボルト１２Ｂの先端部分だけにねじ溝が設けられている。第２の実施例では、ワイヤー挿通路１１にワイヤー３を配置する場合は、一旦ナット１２Ｎをボルト１２Ｂから外してボルト１２Ｂをボルト取付壁１２Ｗから抜き、ワイヤー３をワイヤー挿通路１１に配置した後にボルト１２Ｂをボルト挿通孔に通してナット１２Ｎで固定すれば良い。
【００４４】
また、第１の実施例では、２本のアーム１２Ａの基部に、両側にある円周溝１６を連通する貫通孔１５が設けられていた。一方、第２の実施例では、２本のアーム１２Ａがないので、隆起部１３の上面の、円周溝１６の上方にアーチ状の引掛部１２Ｃが設けられている。従って、この引掛部１２Ｃを利用すれば、第１の実施例と同様に、第２取付具を取り付けることができる。
【００４５】
図９は、開示するワイヤーの架線用碍子の第３の実施例の構造を示すものであり、架線用碍子１を支柱への取付側から見た斜視図である。第３の実施例が第１の実施例と相違する点は、取付構造２０のみである。よって、取付構造２０以外の部分については第１の実施例と同じ符号を付してその説明を省略する。
【００４６】
第１の実施例では、左壁２１Ｌ、右壁２１Ｒ及び上壁２２Ｕと下壁２２Ｂに囲まれた凹部２３に、上壁２２Ｕと下壁２２Ｂに平行な４つの隔壁２５があり、凹部２３が５つの区画２４に仕切られていた。一方、第３の実施例では、凹部２３の内部に左壁２１Ｌと右壁２１Ｒに平行な隔壁２５は設けられておらず、左壁２１Ｌと右壁２１Ｒに平行な２つの補強壁２８Ａが、第１湾曲凹部２６の第１当接部２６Ｔの部分に設けられている。また、２つの補強壁２８Ａには、取付具６を挿通するための第１取付孔１４Ａがそれぞれ３つずつ設けられている。第３の実施例には第２取付孔１４Ｂは設けられていない。
【００４７】
第３の実施例の取付構造２０はシンプルであり、安価に架線用碍子１を製造することができ、この構造でも筐体２が樹木に接する場合に複数の点で樹木に接触させることができるので、架線用碍子１を樹木に取り付けた時に、架線用碍子１が樹木に対して傷を付けないようにすることができる。
【符号の説明】
【００４８】
１    架線用碍子
２    筐体
３    ワイヤー
４    支柱（樹木の幹）
５    ワイヤーフェンス
６    取付具（結束バンド）
７    樹木
９    第２取付具（取付補助紐）
１０    保持構造
１１    ワイヤー挿通路
１２    外れ防止機構
１２Ａ    アーム
１２Ｗ    ボルト取付壁
１３    隆起部
１３Ｗ    対向壁
１４Ａ    第１取付孔
１４Ｂ    第２取付孔
１５    貫通孔
１６    円周溝
２０    取付構造
２１Ｌ    左壁
２１Ｒ    右壁
２２Ｂ    下壁
２２Ｕ    上壁
２３    凹部
２４    区画
２５    隔壁
２６    第１湾曲凹部
２６Ｔ    第１当接部
２７    第２湾曲凹部
２７Ｔ    第２当接部
２８，２８Ａ    補強壁
Ｓ，Ｍ    隙間
【図１】
2020174608.tif 000003
【図２】
2020174608.tif 000004
【図３】
2020174608.tif 000005
【図４】
2020174608.tif 000006
【図５】
2020174608.tif 000007
【図６】
2020174608.tif 000008
【図７】
2020174608.tif 000009
【図８】
2020174608.tif 000010
【図９】
2020174608.tif 000011